(57)【要約】【課題】システムを構成する複数の機器の状態変化のうち、任意の状態変化が発生した原因を簡便に調べることができる施設監視装置及び施設監視方法を提供する。【解決手段】施設監視装置１は、機器Ａ１〜Ｃ１間の関係を示す機器データベースを記憶する機器データベース記憶部１１と、各々の機器Ａ１〜Ｃ１の状態変化の履歴データを記憶する履歴データ記憶部１３と、機器データベース記憶部１１から、操作入力部１５で選択した履歴データが示す機器Ａ１〜Ｃ１と関係する機器Ａ１〜Ｃ１を検索する機器データベース検索部１６と、履歴データ記憶部１３から、操作入力部１５で選択した履歴データが示す日時よりも過去の日時における、機器データベース検索部１６で検索した機器Ａ１〜Ｃ１に関する履歴データを検索する履歴データ検索部１７と、履歴データ検索部１７で検索した履歴データを表示する表示部１４とを有している。【選択図】図１
2016045720.tif 000002
【特許請求の範囲】
【請求項１】
施設に設置された複数の機器を監視する施設監視装置において、
前記機器間の関係を示す機器データベースを記憶する機器データベース記憶部と、
各々の前記機器の状態変化の履歴データを記憶する履歴データ記憶部と、
前記履歴データ記憶部から、任意の履歴データを選択する履歴データ選択部と、
前記機器データベース記憶部から、前記履歴データ選択部で選択した履歴データが示す前記機器と関係する前記機器を検索する機器データベース検索部と、
前記履歴データ記憶部から、前記履歴データ選択部で選択した履歴データが示す日時よりも過去の日時における、前記機器データベース検索部で検索した前記機器に関する履歴データを検索する履歴データ検索部と、
前記履歴データ検索部で検索した履歴データを表示する表示部と、
を具備することを特徴とする施設監視装置。
【請求項２】
前記機器データベース検索部が、該機器データベース検索部で直前に検索した第１機器と関係する第２機器をさらに検索する処理と、前記履歴データ検索部が、該履歴データ検索部で直前に検索した前記第１機器に関する履歴データが示す日時よりも過去の日時における前記第２機器に関する履歴データをさらに検索する処理とを所定回数繰り返すことを特徴とする請求項１記載の施設監視装置。
【請求項３】
前記機器データベース記憶部は、前記機器間の配置関係及び制御信号の入出力関係を示す前記機器データベースを記憶することを特徴とする請求項１又は請求項２記載の施設監視装置。
【請求項４】
前記履歴データ検索部は、予め設定された日時以降の履歴データ、又は、前記履歴データ選択部で選択した履歴データが示す日時から予め設定された期間さかのぼった日時以降の履歴データを検索することを特徴とする請求項１から請求項３のうちのいずれか１項記載の施設監視装置。
【請求項５】
施設に設置された複数の機器を監視する施設監視方法において、
機器データベース記憶部が、前記機器間の関係を示す機器データベースを記憶するステップと、
履歴データ記憶部が、各々の前記機器の状態変化の履歴データを記憶するステップと、
履歴データ選択部が、前記履歴データ記憶部から、任意の履歴データを選択するステップと、
機器データベース検索部が、前記機器データベース記憶部から、前記履歴データ選択部で選択した履歴データが示す前記機器と関係する前記機器を検索するステップと、
履歴データ検索部が、前記履歴データ記憶部から、前記履歴データ選択部で選択した履歴データが示す日時よりも過去の日時における、前記機器データベース検索部で検索した前記機器に関する履歴データを検索するステップと、
表示部が、前記履歴データ検索部で検索した履歴データを表示するステップと、
を具備することを特徴とする施設監視方法。
【発明の詳細な説明】
【技術分野】
【０００１】
本発明は、施設に設置された複数の機器を監視する施設監視装置及び施設監視方法に関するものである。
【背景技術】
【０００２】
従来、オフィスビル、商業ビル、ホテル及び病院などの施設に設置された複数の機器を監視又は管理する施設監視装置が用いられている（例えば、特許文献１参照）。
【０００３】
特許文献１の施設管理装置は、各設備機器の運転・環境情報に関する履歴データを記憶するとともに、履歴データ内のパラメータに対して所定閾値ごとに区別するための色を設定し、設定された色を用いて履歴一覧表を表示するものである。これにより、設備機器の運転・環境状況に関するデータを有効に活用させ、全体の俯瞰的な分析・解析を容易にしている。
【先行技術文献】
【特許文献】
【０００４】
【特許文献１】特開２０１３−５０７８８号公報
【発明の概要】
【発明が解決しようとする課題】
【０００５】
従来の施設監視装置は、システムを構成する複数の機器の状態変化の履歴を機器のＩＤ（ＩＤｅｎｔｉｆｉｃａｔｉｏｎ）等で検索し、表示することができる。これにより、システムの挙動に問題が見つかったときに、問題に関係する機器の状態がいつどのように変化したかを確認し、原因を調べることができる。しかしながら、問題の原因が、複数の制御等の連動の結果であった場合には、履歴を検索しただけでは真の原因を調べることができない課題があった。
【０００６】
例えば、制御Ｘで機器Ａが動作を開始し、次いで、機器Ａの動作でセンサＢの値が変化し、次いで、センサＢにより制御Ｙが実行されて機器Ｃの設定が変化し、次いで、機器ＣによりセンサＤの値が上昇し、次いで、センサＤの値が上限値を超え、最終的に警報が発生した場合を考える。この場合、警報の根本原因を調べるために、センサＤに関連する機器Ｃを探し、次いで、機器Ｃに対する制御Ｙを探し、次いで、制御Ｙが実行されたことを履歴で確認し、次いで、制御Ｙの動作条件を調べ、次いで、制御Ｙに影響するセンサＢの動作を調べる、という作業が発生する。
【０００７】
この作業を行うためには、施設監視装置の表示部で複数の画面を開き、多数の検索条件を入力しなければならなかった。作業の過程では、制御対象のポイントの追加や制御の設定変更などがあるので、表示対象を固定して原因と紐づけるのは難しかった。このため、原因の究明に手間がかかる課題があった。
【０００８】
本発明は、上記のような課題を解決するためになされたものであり、システムを構成する複数の機器の状態変化のうち、任意の状態変化が発生した原因を簡便に調べることができる施設監視装置及び施設監視方法を提供することを目的とする。
【課題を解決するための手段】
【０００９】
本発明の施設監視装置は、施設に設置された複数の機器を監視する施設監視装置において、機器間の関係を示す機器データベースを記憶する機器データベース記憶部と、各々の機器の状態変化の履歴データを記憶する履歴データ記憶部と、履歴データ記憶部から、任意の履歴データを選択する履歴データ選択部と、機器データベース記憶部から、履歴データ選択部で選択した履歴データが示す機器と関係する機器を検索する機器データベース検索部と、履歴データ記憶部から、履歴データ選択部で選択した履歴データが示す日時よりも過去の日時における、機器データベース検索部で検索した機器に関する履歴データを検索する履歴データ検索部と、履歴データ検索部で検索した履歴データを表示する表示部と、を具備するものである。
【００１０】
また、本発明の施設監視方法は、施設に設置された複数の機器を監視する施設監視方法において、機器データベース記憶部が、機器間の関係を示す機器データベースを記憶するステップと、履歴データ記憶部が、各々の機器の状態変化の履歴データを記憶するステップと、履歴データ選択部が、履歴データ記憶部から、任意の履歴データを選択するステップと、機器データベース検索部が、機器データベース記憶部から、履歴データ選択部で選択した履歴データが示す機器と関係する機器を検索するステップと、履歴データ検索部が、履歴データ記憶部から、履歴データ選択部で選択した履歴データが示す日時よりも過去の日時における、機器データベース検索部で検索した機器に関する履歴データを検索するステップと、表示部が、履歴データ検索部で検索した履歴データを表示するステップと、を具備するものである。
【発明の効果】
【００１１】
本発明の施設監視装置及び施設監視方法は、システムを構成する複数の機器の状態変化のうち、任意の状態変化が発生した原因を簡便に調べることができる。
【図面の簡単な説明】
【００１２】
【図１】本発明の実施の形態１の施設監視装置の構成を示すブロック図である。
【図２】本発明の実施の形態１の施設監視装置が記憶する機器データベースの一例を示す説明図である。
【図３】本発明の実施の形態１の施設監視装置が表示する履歴データの一例を示す説明図である。
【図４】本発明の実施の形態１の施設監視装置の動作を示すフローチャートである。
【発明を実施するための形態】
【００１３】
実施の形態１．
図１〜図３を参照して、本発明の実施の形態１の施設監視装置について説明する。
図１に示す如く、実施の形態１の施設監視装置１は、機器データベース記憶部１１、機器データ取得部１２、履歴データ記憶部１３、表示部１４、操作入力部（履歴データ選択部）１５、機器データベース検索部１６及び履歴データ検索部１７を有している。機器Ａ１，Ａ２，Ｂ１，Ｂ２，Ｂ３，Ｂ４，Ｃ１は、施設監視装置１の監視対象となる施設に設置された複数の機器である。
【００１４】
機器データベース記憶部１１は、機器Ａ１〜Ｃ１間の関係を示す機器データベースを記憶するものである。機器データベースは、機器Ａ１〜Ｃ１間の配置関係、及び制御信号の入出力関係を示すものである。
【００１５】
図２に、機器データベースの一例を示す。図２の機器データベースは、機器Ａ２は機器Ｂ１，Ｂ２と配置上の関係がある（例えば、互いの動作に影響を及ぼす程度に近接して配置されている）ことを示している。また、機器Ａ１と機器Ｂ１，Ｂ２とは、配置上の関係はないものの、プログラムナンバー６０，１００の制御信号を入出力する関係にあることを示している。
【００１６】
機器データ取得部１２は、機器Ａ１〜Ｃ１との間で無線通信又は有線通信を行なうものである。機器データ取得部１２は、機器Ａ１〜Ｃ１から、機器Ａ１〜Ｃ１に関する機器データを取得するものである。機器データは、機器Ａ１〜Ｃ１に対するオペレータの操作及び他の機器からの制御による、機器Ａ１〜Ｃ１の状態変化を示すデータである。
【００１７】
履歴データ記憶部１３は、機器データ取得部１２で取得した機器データの履歴データを記憶するものである。
【００１８】
表示部１４は、履歴データ記憶部１３に記憶された履歴データの一覧を表示するものである。表示部１４は、例えば、液晶ディスプレイなどで構成されている。
【００１９】
図３に、表示部１４が表示する履歴データの一例を示す。図中、ナンバー４の履歴は、２０１４年６月１７日１０時４５分に、ポイント名称「第１ボイラー」に対応する機器Ｃ１が運転を開始したことを示している。同様に、ナンバー３の履歴は、２０１４年６月１７日１３時２０分に、機器Ｃ１の給水ポンプに異常が発生したことを示している。ナンバー２の履歴は、２０１４年６月１７日１５時３８分に、ポイント名称「１Ｆ西側空調機」に対応する機器Ａ１の吸気バルブに異常が発生したことを示している。ナンバー１の履歴は、２０１４年６月１７日１７時００分に、機器Ａ１が運転を停止したことを示している。このように、履歴データが時系列に表示されている。
【００２０】
操作入力部１５は、オペレータの操作入力を受け付けるものである。操作入力部１５は、例えば、表示部１４と一体のタッチパネル、又はキーボード及びマウスなどで構成されている。また、操作入力部１５は、表示部１４に表示された履歴データのうち、任意の履歴データを選択するものである。操作入力部１５によって、履歴データ選択部が構成されている。
【００２１】
機器データベース検索部１６は、機器データベース記憶部１１から、操作入力部１５で選択した履歴データが示す機器Ａ１〜Ｃ１と関係する機器Ａ１〜Ｃ１を検索するものである。また、機器データベース検索部１６は、機器データベース検索部１６で直前に検索した機器Ａ１〜Ｃ１（以下「第１機器」という）と関係する機器Ａ１〜Ｃ２（以下「第２機器」という）をさらに検索するものである。
【００２２】
履歴データ検索部１７は、履歴データ記憶部１３から、操作入力部１５で選択した履歴データが示す日時よりも過去の日時における、機器データベース検索部１６で検索した機器Ａ１〜Ｃ１に関する履歴データを検索するものである。また、履歴データ検索部１７は、履歴データ検索部１７で直前に検索した第１機器に関する履歴データが示す日時よりも過去の日時における第２機器に関する履歴データをさらに検索するものである。
【００２３】
機器データベース記憶部１１及び履歴データ記憶部１３は、例えば、ＨＤＤ（Ｈａｒｄ  Ｄｉｓｋ  Ｄｒｉｖｅ）又は半導体メモリなどで構成されている。機器データ取得部１２、機器データベース検索部１６及び履歴データ検索部１７は、例えば、ＣＰＵ（Ｃｅｎｔｒａｌ  Ｐｒｏｃｅｓｓｉｎｇ  Ｕｎｉｔ）又は専用の集積回路などで構成されている。このようにして、施設監視装置１が構成されている。
【００２４】
次に、図４を参照して、施設監視装置１の動作について、機器データベース及び履歴データを検索する動作を中心に説明する。
ここで、機器データベース記憶部１１には機器データベースが予め記憶されており、履歴データ記憶部１３には所定期間の履歴データが予め記憶されている。
【００２５】
まず、ステップＳＴ１にて、操作入力部１５により、表示部１４に表示された履歴データのうちのいずれかの履歴データが選択される。例えば、「２月１日１６時００分に、機器Ａ１が警報を発生した」ことを示す履歴データが選択される。
【００２６】
次いで、ステップＳＴ２にて、機器データベース検索部１６が、機器データベース記憶部１１から、操作入力部１５で選択した履歴データが示す機器Ａ１と関係する機器Ａ１〜Ｃ１を検索する。機器データベース検索部１６は、検索の結果、例えば機器Ｂ１，Ｂ２を取得する。
【００２７】
次いで、ステップＳＴ３にて、履歴データ検索部１７が、履歴データ記憶部１３から、操作入力部１５で選択した履歴データが示す日時（２月１日１６時００分）よりも過去の日時における、機器データベース検索部１６で検索した機器Ｂ１，Ｂ２に関する履歴データを検索する。履歴データ検索部１７は、例えば、２月１日９時００分の機器Ｂ１の状態変化と、１月２９日１３時００分の機器Ｂ２の状態変化を示す履歴データを取得する。
【００２８】
次いで、ステップＳＴ４にて、機器データベース検索部１６は、機器データベース検索部１６で直前に検索した機器Ｂ１（第１機器）と関係する機器Ａ１〜Ｃ１（第２機器）をさらに検索する。機器データベース検索部１６は、例えば、第２機器として機器Ｂ４を取得する。
【００２９】
次いで、ステップＳＴ５にて、履歴データ検索部１７は、履歴データ検索部１７で直前に検索した機器Ｂ１（第１機器）に関する履歴データが示す日時（２月１日９時００分）よりも過去の日時における機器Ｂ４（第２機器）に関する履歴データをさらに検索する。履歴データ検索部１７は、例えば、１月３１日１５時００分の機器Ｂ４の状態変化を示す履歴データを取得する。
【００３０】
次いで、ステップＳＴ６にて、施設監視装置１は、ステップＳＴ４〜ＳＴ５の処理を所定回数以上繰り返したか否かを判定する。繰り返した回数が所定回数未満である場合（ステップＳＴ６“ＮＯ”）、施設監視装置１はステップＳＴ４の処理に戻る。
【００３１】
一方、繰り返した回数が所定回数以上である場合（ステップＳＴ６“ＹＥＳ”）、次いで、ステップＳＴ７にて、表示部１４が、ステップＳＴ３で検索された履歴データと、ステップＳＴ５で検索されたすべての履歴データとの一覧を表示する。
【００３２】
なお、履歴データ検索部１７は、操作入力部１５によって予め設定された日時以降の履歴データを検索するものとしても良い。又は、履歴データ検索部１７は、ステップＳＴ１で選択した履歴データが示す日時から、操作入力部１５によって予め設定された期間（例えば２４時間）さかのぼった日時以降の履歴データを検索するものとしても良い。
【００３３】
また、表示部１４は、履歴データ検索部１７で検索した履歴データを時系列に表示するものとしても良い。又は、表示部１４は、履歴データ検索部１７で検索した履歴データを樹形図で（いわゆる「ｔｒｅｅ状」に）表示するものとしても良い。
【００３４】
以上のように、実施の形態１の施設監視装置１は、機器Ａ１〜Ｃ１間の関係を示す機器データベースを記憶する機器データベース記憶部１１と、各々の機器Ａ１〜Ｃ１の状態変化の履歴データを記憶する履歴データ記憶部１３と、履歴データ記憶部１３から、任意の履歴データを選択する操作入力部１５と、機器データベース記憶部１１から、操作入力部１５で選択した履歴データが示す機器Ａ１〜Ｃ１と関係する機器Ａ１〜Ｃ１を検索する機器データベース検索部１６と、履歴データ記憶部１３から、操作入力部１５で選択した履歴データが示す日時よりも過去の日時における、機器データベース検索部１６で検索した機器Ａ１〜Ｃ１に関する履歴データを検索する履歴データ検索部１７と、履歴データ検索部１７で検索した履歴データを表示する表示部１８とを有している。これにより、操作入力部１５で選択した履歴データと関連する機器の過去の履歴データが一覧で表示されるため、システムを構成する複数の機器の状態変化のうち、任意の状態変化が発生した原因を簡便に調べることができる。
【００３５】
なお、本願発明はその発明の範囲内において、実施の形態の任意の構成要素の変形、もしくは実施の形態の任意の構成要素の省略が可能である。
【符号の説明】
【００３６】
１  施設監視装置
１１  機器データベース記憶部
１２  機器データ取得部
１３  履歴データ記憶部
１４  表示部
１５  操作入力部（履歴データ選択部）
１６  機器データベース検索部
１７  履歴データ検索部
Ａ１，Ａ２，Ｂ１，Ｂ２，Ｂ３，Ｂ４，Ｃ１  機器
【図１】
2016045720.tif 000003
【図２】
2016045720.tif 000004
【図３】
2016045720.tif 000005
【図４】
2016045720.tif 000006